(57)【要約】【課題】購入した商品を顧客がポリ買物袋などに詰替える手間と時間を省き、レジ係が精算時に移し変える篭を顧客に貸出し回収して再利用することにより、ポリ買物袋などの資源も節約できるばかりか、スーパーストアーの売り場面積を大きくすることができる商品購入システムを提供する。【解決手段】買い物専用篭と貸し出し専用篭を用いて、スーパーストアーで商品を購入し、持ち帰るシステムにおいて、予め貸出し専用篭に識別コードを設けておき、レジスターで商品清算時に、清算済み商品を、買い物専用篭から貸し出し専用篭に移し変えるに際して、貸し出し専用篭の識別コードをバーコードスキャナーで読み取り貸し出し専用篭を貸し出す商品購入システム。【選択図】図１
2004118816.tif 000002
【特許請求の範囲】
【請求項１】
買い物専用篭と貸し出し専用篭を用いて、スーパーストアーで商品を購入し、持ち帰るシステムにおいて、予め貸出し専用篭に識別コードを設けておき、レジスターで商品清算時に、清算済み商品を、買い物専用篭から貸し出し専用篭に移し変えるに際して、貸し出し専用篭の識別コードをバーコードスキャナーで読み取り貸し出し専用篭を貸し出す商品購入システム。
【請求項２】
貸し出し専用篭を貸し出すに際して、一定の料金を取り、返却するとき、付与されたバーコードを読み取り貸し出した篭であることを確認して、一定料金を返却する請求項１に記載した商品購入システム。
【請求項３】
買い物専用篭と貸し出し専用篭の色彩、形状を変えて、両者を区別する請求項１又は請求項２に記載した商品購入システム。
【請求項４】
貸し出し専用篭のバーコード、清算する商品及び個人情報を結びつける請求項１ないし請求項３のいずれかひとつに記載した商品購入システム。
【発明の詳細な説明】
【０００１】
【発明の属する技術分野】
本発明は、スーパーストアーなどにおいて、購入した商品をポリ買物袋などに入れ替えることなく持ち帰れる、商品購入システムに関するものである。
【０００２】
【従来の技術】
従来、スーパーストアーなどの商店は、レジで精算した商品を顧客が持ち帰る際には、精算後にポリ買い物袋あるいは持参した袋などに商品を入れ替えていた。しかし、資源の節約のため顧客が買い物袋を持参するよう呼びかけているが、従来どおりスーパーストアーのポリ買い物袋を利用して商品を詰め替えている顧客が多い。ポリ袋などに詰替えるには手間と時間がかかり、また商品を詰め替える場所が混雑するので広い場所が必要になるなど、資源の無駄使いやスーパーストアーの店内配置などに問題があった。
【０００３】
【発明が解決しようとする課題】
スーパーストアー側では、資源節約のため顧客に買物袋を持参するよう呼びかけているが、従来どおりポリ買い物袋を利用して商品を詰め替えている顧客が多い。
マイバッグなど持参した袋の場合は、持参するのを忘れたり、持参した場合でも買物商品の量により入れ物に不足が生じる際は、やはりポリ袋を使用することになる。
また、レジで精算時にレジ係が別の買い物篭に商品を入れ替えながら精算しているが、入れ替えた篭は店の買い物篭と同じ篭なので、ポリ買い物袋などに顧客が詰め替えなければ未精算の商品と見分けがつかなかった。
本発明はこれらの欠点を除くための商品購入システムを提供するものであり、購入した商品を顧客がポリ買物袋などに詰替える手間と時間を省き、レジ係が精算時に移し変える篭を顧客に貸出し回収して再利用することにより、ポリ買物袋などの資源も節約できるばかりか、スーパーストアーの売り場面積を大きくすることができるものである。
【０００４】
【解決手段】
本発明は、買い物専用篭と貸し出し専用篭を用いて、スーパーストアーで商品を購入し、持ち帰るシステムにおいて、予め貸出し専用篭に識別コードを設けておき、レジスターで商品清算時に、清算済み商品を、買い物専用篭から貸し出し専用篭に移し変えるに際して、貸し出し専用篭の識別コードをバーコードスキャナーで読み取り貸し出し専用篭を貸し出す商品購入システムである。
また、本発明は、貸し出し専用篭を貸し出すに際して、一定の料金を取り、返却するとき、付与されたバーコードを読み取り貸し出した篭であることを確認して、一定料金を返却することができる。
さらに、本発明は買い物専用篭と貸し出し専用篭の色彩、形状を変えて、両者を区別することができる。売り場では、貸し出し専用篭は原則持ち込まないようにすることが望ましい。
【０００５】
【発明の実施の形態】
図１に示すように、買い物客は買い物篭に購入する商品を入れ、レジに運ぶ。レジ係は精算時に、篭の貸出しを希望する客には、貸し出し専用篭の識別コードをバーコードスキャナーで読み取り篭の貸し出しを管理する。
その際、顧客に渡す買物明細書にも篭の貸出し記録を印字してもよい。
あらかじめ登録しておいた顧客の会員カードあるいは、クレジットカードなどで顧客のデータを登録しておき、レジで予め貸し出し専用篭を希望している顧客であることを会員カードあるいは、クレジットカードで自動申請することができる。このようにすると、レジ係の仕事がよりはかどる。
さらに、顧客の個人情報と買い物情報を保管することができるので、顧客へのサービスをより充実させることができる。
貸出し用篭は次回来店時に返却する際に、篭の識別コードをバーコードスキャナーで読み取ることにより、篭の回収が確認でき、貸出しの記録を容易に整理できる。
また、篭の初回貸出し時にはレジで保証金を預かり、もし未回収篭がある顧客がレジで精算する際には、未回収篭があることを告げ、篭の貸出し時に追加の保証金を預かることにより、篭の回収をより確実にし、紛失などによる損害を防ぐこともできる。
また、買い物篭と貸出し用篭を少なくとも形状や色などで区別し、未精算商品を誤って持ち帰ることを防ぐことが望まれる。
貸出し用篭に識別コードを付けるだけで、レジスターにあるバーコードスキャナーと商品管理用のコンピューターなど既存の設備を利用できるので、容易にこのシステムを取り入れることが可能である。
【０００６】
実施例
買い物コーナーで買い物をした顧客は、貸し出し専用篭の希望者は、貸し出し専用篭をもらい受ける。　場合によっては会員カード登録をする。
レジで、清算しながら、レジ係は、買い物専用篭に入った商品を、貸し出し専用篭に移し変える。
貸し出し専用篭をもって、顧客は出口３から帰路につく。
再度、来店したときに貸し出し専用篭を返却口４で返却し、予め支払った貸し出し専用篭の借賃を受け取る。
顧客は買物の度にこれを繰り返す。
さらに、貸し出し専用篭のバーコード、清算する商品及び個人情報をコンピューターに記憶させておけば、顧客に対して、希望商品や希望時期などの個別のサービスを展開することができる。
【０００７】
【発明の効果】
ポリ買い物袋の節約とポリ袋に出し入れする手間が省け、袋に詰め替える時、品物が割れたりする心配がなく買い物客にも喜ばれる。
また、篭を貸出すことにより、店と顧客の信頼関係が増し、固定客の確保にも役立つ。買い物の内容をコンピューターに記憶させておくと、顧客のサービスの充実を図ることができる。
また、そのまま持ち帰れるので、詰め替える場所を必用としないので、その分売り場面積を増やすことができる。
さらに、環境対策に積極的に取り組んでいる店のイメージアップや宣伝にもつながる。そして、篭の返却時には、ペットボトルや空き缶などのリサイクル品の回収運搬用としても篭を利用できる。
貸し出し用篭を利用し回収するたびにポイントなどを付け、環境対策に協力的な顧客には商品の割引などで利用の奨励をすれば顧客のＣＯ２削減に対する意識も向上するなどの効果がある。また、篭の上面に紙などで覆いをすることにより、篭の中味が見えることを心配する顧客の安心感も得られる。
【図面の簡単な説明】
【図１】本発明のシステム図である。
【符号の説明】
１　貸し出し専用篭登録場所
２　精算時に貸し出し篭に商品を詰め替え場所
３　顧客が貸し出し篭を持ち帰る出口
４　貸し出し篭返却場所
【図１】
2004118816.tif 000003